(57)【特許請求の範囲】
【請求項１】
人間の足底アーチに対応する形状を有し、かつ足底アーチの横アーチの頂点に対応する部分に凸部を有する第１パーツと、基端部分が靴底又は既に靴底に入っているインソールの踵部分に対応する形状を有し、かつ先端部分が靴底又は既に靴底に入っているインソールの形状に合わせて加工可能な第２パーツとを備えてなる中敷を、靴底又は既に靴底に入っているインソールに装着する中敷の装着方法であって、
前記第１パーツの前記凸部の頂点の位置が前記横アーチの頂点の位置と一致するように、前記第１パーツを使用者の足底に貼着又は固定する工程と、
前記第２パーツの基端部分と使用者の踵部分とが一致するように、前記第２パーツを使用者の足底に合わせると共に、前記第１パーツと前記第２パーツとを貼着又は固定して中敷を製作する工程と、
前記中敷を靴底又は既に靴底に入っているインソールに踵部分を基準として位置合わせして装着する工程とを含む中敷の装着方法。
【請求項２】
前記中敷を靴底又は既に靴底に入っているインソールに踵部分を基準として位置合わせした後に、前記中敷を構成している前記第１パーツを靴底又は既に靴底に入っているインソールに貼着又は固定した上で、前記第２パーツを取り外す請求項１に記載の中敷の装着方法。
【発明の詳細な説明】
【技術分野】
【０００１】
本発明は、人間の足底アーチに対応する形状を有し、かつ足底アーチの横アーチの頂点に対応する部分に凸部を有する中敷を、靴底又は既に靴底に入っているインソールに位置合わせして装着する中敷の装着方法に関する。
【背景技術】
【０００２】
二足直立歩行を行う人間の足底には、図１１に示すように、踵骨３と種子骨４との間に弓形の「足底アーチ」と呼ばれる構造が形成されている。そして、足底アーチには、図１２に示すように、縦アーチ（内側と外側）と横アーチがあり、足底の踵、小指、親指の３点を結ぶ３本の線が立体的な弧を描く曲面となっている。
【０００３】
この足底アーチは、頭蓋から、頸椎、腰椎、骨盤、大腿骨、膝蓋骨、及び下腿骨を経て人間の体重を支え、直立姿勢を保持する上で、非常に重要な働きをしている。さらに、足底アーチは、歩行時にスプリングの役割をして歩行時の衝撃を和らげ、また、人間が行動を起こそうとするときに体重の数倍かかる動的荷重を分散させている。したがって、足底アーチが崩れ、人間の土台が崩れると、頭蓋までの正しい直立姿勢が保持できなくなり、膝の痛み、腰痛、猫背等の原因になり、また、内臓を圧迫する姿勢となって万病を引き起こす原因にもなる。加えて、足底アーチが正常に発達した状態では、歩くたびに足底アーチの伸縮によって血液（静脈血）を持ち上げるという、第２の心臓と呼ばれるポンプの役割も果たしている。
【０００４】
このように、正常な足底アーチの保持は、人間の健康にとって非常に重要であり、この足底アーチを保持するために、従来、例えば特許文献１に記載されているように、足底アーチに対応する凹凸部を有する中敷を靴底や靴のインソール等として使用することが行われている。
【０００５】
中敷の使用は、足底アーチの保持・形成に有効な手段ではあるが、これを有効に機能させるためには、中敷を使用者の足底の形状に適合させる必要があり、とくに、中敷の凸部の位置を、横アーチの頂点に合わせることが重要である。すなわち、この横アーチの頂点は、東洋医学の足のツボ（湧泉）にあたり、静脈、動脈及び神経が集中しているため、この場所に的確に刺激を与えると、足の疲れの回復促進や、下肢の血流促進の効果が得られる。
【０００６】
しかし、従来、その位置合わせは、技術者、職人などの技術経験をもとに、足底の形状をフットプリント複写器等によって測定し、使用者による試用を何度も繰り返し、その際の感覚や違和感をもとに調整するという、試行錯誤の方法によって行っていたため、時間がかかり面倒であるという問題があった。
【０００７】
この問題を解決するために、本出願人は特許文献２において、加熱した熱可塑性樹脂製の中敷原板を人間の足底に対して相対的に押し付けて人間の足底アーチに対応する形状とし、さらに中敷（足底板）原板を足底に押し付ける際に、足底アーチの横アーチの頂点に対応する部分の中敷原板を押し込むことによって横アーチの頂点に対応する凸部を形成する方法を開示した。この方法によれば、使用者の足に対応した中敷（足底板）を容易に得ることができる。
【０００８】
ところが、使用者の足に対応した中敷が得られたとしても、この中敷を靴底又は靴底に敷くインソールに的確に位置合わせして装着しないと、横アーチの頂点の位置に対応するように形成した凸部が、靴を履いたときには実際の横アーチの頂点の位置からずれてしまい、この凸部による横アーチの頂点、すなわち湧泉部分の刺激効果が十分に得られなくなる。
【０００９】
従来、中敷の位置合わせ方法としては、中敷を靴底又は既に足底に入っているインソールに仮に位置合わせし、使用者に試用してもらいその際の感覚や違和感をもとに調整するという方法があるが、この方法では、時間がかかり面倒である。また、使用者が子供や高齢者の場合は、意志の表現力不足のため、正確な位置合わせができない場合もある。また、中敷の取付け位置調整の知識を有する人がいないことが想定される場合（店頭などでの販売など）、説明書などで、靴底又は既に靴底に入っているインソールに対しての大体の装着位置図を示し、その図をもとに各使用者が装着するという方法もあるが、装着位置図に付けたつもりでも、実際使用者各人の湧泉部分と一致せず、不快感を覚えることもあった。
【００１０】
これに対して、本出願人は特許文献３において、中敷（足底板）の装着方法を開示した。この方法によれば、中敷の凸部の位置が横アーチの頂点に合うように中敷を靴底又は既に靴底に入っているインソールに正確に位置決めして装着することができる。ただし、この方法では、転写手段を有する凸部材を用いて転写した後に、その転写位置に中敷の凸部を合わせる必要があることから、どうしても手間がかかる。
【００１１】
特許文献２において開示した中敷の優れた効果をいかんなく発揮させ、またその普及を図っていくためには、中敷を靴底又は既に靴底に入っているインソールに正確かつ簡単に位置合わせして装着できる方法の確立が望まれる。
【先行技術文献】
【特許文献】
【００１２】
【特許文献１】実用新案登録第３０５５３６８号公報
【特許文献２】特許第４２４８５８０号公報
【特許文献３】特開２００８−９３１１６号公報
【発明の概要】
【発明が解決しようとする課題】
【００１３】
本願発明が解決しようとする課題は、人間の足底アーチに対応する形状を有し、かつ足底アーチの横アーチの頂点に対応する部分に凸部を有する中敷を、靴底又は既に靴底に入っているインソールに正確かつ簡単に位置合わせして装着できる中敷の装着方法を提供することにある。
【課題を解決するための手段】
【００１４】
本発明は、人間の足底アーチに対応する形状を有し、かつ足底アーチの横アーチの頂点に対応する部分に凸部を有する第１パーツと、基端部分が靴底又は既に靴底に入っているインソールの踵部分に対応する形状を有し、かつ先端部分が靴底又は既に靴底に入っているインソールの形状に合わせて加工可能な第２パーツとを備えてなる中敷を、靴底又は既に靴底に入っているインソールに装着する中敷の装着方法であって、前記第１パーツの前記凸部の頂点の位置が前記横アーチの頂点の位置と一致するように、前記第１パーツを使用者の足底に貼着又は固定する工程と、前記第２パーツの基端部分と使用者の踵部分とが一致するように、前記第２パーツを使用者の足底に合わせると共に、前記第１パーツと前記第２パーツとを貼着又は固定する工程と、前記第２パーツの先端部分を靴底又は既に靴底に入っているインソールの形状に合わせて加工し中敷を製作する工程と、前記中敷を靴底又は既に靴底に入っているインソールに踵部分を基準として位置合わせして装着する工程とを含むものである。
【発明の効果】
【００１５】
本発明では、第１パーツの凸部の頂点の位置を実際の横アーチの頂点の位置に合わせ、その状態で、第２パーツの基端部分と使用者の踵部分との位置を合わせた上で第１パーツと第２パーツを貼着又は固定して中敷を製作し、その中敷を靴底又は靴底に入っているインソールに踵部分を基準に位置合わせして装着するので、中敷に形成した凸部の頂点の位置が横アーチの頂点の位置に合うように、中敷を靴底又は靴底に入っているインソールに正確かつ簡単に位置合わせして装着できる。したがって、歩行時に、横アーチの頂点、すなわち湧泉部分に的確に刺激を与えることができ、足の疲れの回復促進や、下肢の血流促進の効果が得られる。さらに、中敷に形成した凸部の頂点の位置が横アーチの頂点の位置に正確に合うので、健全な横アーチの保持あるいは更正にも効果があり、タコなどの防止にもつながる。
【図面の簡単な説明】
【００１６】
【図１】本発明で使用する第１パーツを示す斜視図である。
【図２】本発明で使用する第２パーツを示す斜視図である。
【図３】本発明において使用者の足底の横アーチの頂点（湧泉部分）を確認する工程を示す説明図である。
【図４】本発明において第１パーツを使用者の足底に貼着又は固定する工程を示す説明図である。
【図５】本発明において第１パーツと第２パーツとを位置合わせする工程を示す説明図である。
【図６】本発明において第１パーツと第２パーツとを貼着又は固定する工程を示す説明図である。
【図７】本発明によって製作された中敷を示す平面図である。
【図８】踵部分の基準位置を示す説明図である。
【図９】本発明の他の実施形態で使用する第２パーツを示す斜視図である。
【図１０】本発明の他の実施形態によって製作された中敷を示す平面図である。
【図１１】人間の足底を示す側面図である
【図１２】人間の足底アーチを示す説明図である。
【発明を実施するための形態】
【００１７】
以下、図面を参照して本発明の実施の形態を説明する。
【００１８】
まず、本発明で使用する第１パーツ及び第２パーツの構成を説明する。図１は第１パーツ１を示す斜視図、図２は第２パーツ２を示す斜視図である。
【００１９】
第１パーツ１は、人間（使用者）の足底アーチ（図１２参照）に対応する形状を有し、その表面に、足底アーチの横アーチの頂点に対応する位置に凸部１ａを有すると共に、足底アーチの外側の縦アーチに対応する凸部１ｂ、及び内側の縦アーチに対応する凸部１ｃを有する。また、第１パーツ１は、その裏面に、後述する第２パーツに着脱可能に貼着するために、貼着手段１ｄを有する。
【００２０】
第２パーツ２は、その基端部分２ａが靴底又は既に靴底に入っているインソールの踵部分に対応する形状を有する。また、第２パーツ２の先端部分２ｂは靴底又は既に靴底に入っているインソールの形状に合わせて加工可能である。
【００２１】
以下、本発明による中敷の装着方法を説明する。
【００２２】
本発明においては、まず図３に示すように、使用者の足底の横アーチの頂点Ａ、すなわち湧泉部分を確認する。ここで、「足底の横アーチの頂点」すなわち「湧泉部分」については、厳密には学術的にも統一されていない部分や不明確な部分もあるので、本発明においては厳密に特定する必要はなく、ある程度の幅を持った概念である。
【００２３】
次に、図４に示すように第１パーツ１の凸部１ａの頂点の位置１ａ−１（図１参照）が、使用者の足底の横アーチの頂点Ａの位置と一致するように、第１パーツ１を使用者の足底に貼着又は固定する。そうすると、第１パーツの凸部１ｂは使用者の足底の外側の縦アーチに、凸部１ｃは内側の縦アーチに、それぞれ一致する。
【００２４】
このようにして第１パーツ１を使用者の足底に貼着又は固定した後、図５に示すように、第２パーツ２の基端部分２ａと使用者の足底の踵部分とが一致するように、第２パーツ２を使用者の足底に位置合わせする。そして、第２パーツ２を使用者の足底の踵部分から、使用者の足底に合わせて行き、図６に示すように、第１パーツ１と第２パーツ２とを貼着又は固定して一体化する。
【００２５】
本実施例では、第１パーツ１の裏面に設けた貼着手段１ｄによって、第１パーツ１と第２パーツ２とが着脱可能に貼着される。この貼着手段１ｄは、面ファスナー機構を利用して構成できる。例えば、貼着手段１ｄを面ファスナーのフックとし、第２パーツ２表面の貼着手段１ｄと対応する部分又は全面を面ファスナーのループとする。このとき、貼着手段１ｄの厚みは、使用者が不快感を覚えないようにできるだけ薄い方が好ましい。
【００２６】
なお、本実施形態では、貼着手段１ｄを第１パーツ１裏面の基端側と先端側の２箇所に設けたが、その数及び位置、また大きさはこれに限定されない。ただし、第１パーツ１と第２パーツ２とを確実に貼着するには、貼着手段１ｄは実際に靴に入れて使用した状態で第１パーツ１と第２パーツ２とがずれない程度の大きさ（単複個数には関係なく）で設けることが好ましい。また、第１パーツ１と第２パーツ２とを貼着又は固定する手段は、上述の貼着手段１ｄに限定されず、例えば両面テープや粘着テープ、接着剤、凹凸嵌合手段（洋服のボタンなどの原理を用いたもの）、磁石などを使用して第１パーツ１と第２パーツ２とを固定するようにしてもよい。
【００２７】
図６のようにして第１パーツ１と第２パーツ２とを貼着又は固定して一体化した後、第２パーツ２の先端部分２ｂを使用者の靴の靴底又は既に靴底に入っているインソールの形状に合わせて切断加工する。これによって、図７に示すような中敷Ｂが完成する。なお、第２パーツ２の先端部分２ｂは、第１パーツ１と貼着又は固定する前に、使用者の靴の靴底又は既に靴底に入っているインソールの形状に合わせて切断加工しておいてもよい。また、第２パーツ２の踵部分の形状が、靴底又は既に靴底に入っているインソールの踵形状と大きな差がある場合には、予め（第２パーツ２を使用者の足底に位置合わせする前に）靴底又は既に靴底に入っているインソールの形状に合わせて切断加工を行ってもよい。
【００２８】
最後に、この中敷Ｂを使用者の靴の靴底又は既に靴底に入っているインソールに踵部分を基準として位置合わせして装着する。この踵部分の位置の基準としては、靴の踵部分がほぼ垂直に作られている場合は図８のＣ１点とし、靴の踵部分の縦断面形状が人間の足底に合わせて湾曲している場合は、図８のＣ２点とする。すなわち、靴の踵部分の形状に応じて、使用者の靴の靴底又は既に靴底に入っているインソールのＣ１点又はＣ２点に対応する位置と中敷きＢの基端位置Ｂ１（図７）とが一致するように、中敷Ｂを位置合わせして装着する。ただし、実際の装着にあたっては、上記のＣ１点及びＣ２点を厳密に特定するのは困難な場合があるので、本発明ではある程度の誤差は許容する。すなわち、本発明では、ある程度の誤差は許容した上で、踵部分を基準として位置合わせを行う。
【００２９】
次に、図７に示すような中敷Ｂの具体的な使用パターンを説明する。
【００３０】
まず、中敷Ｂを、使用者の靴の靴底に既に入っているインソールの代わりに使用する場合は、既に入っているインソールを取り外し、使用者の靴の靴底に中敷Ｂを上述の要領で踵部分を基準として位置合わせをして装着する。
【００３１】
また、中敷Ｂを、インソールの入っていない靴底に装着して使用する場合も同様である。その際、先端のつま先形状の加工は、予め靴底の形状に合わせた型紙などに合わせて第２パーツ２の形状を加工する場合や、第２パーツ２を直接靴底に入れてみて、ヨレや不足部分がないように加工する場合などがある。
【００３２】
また、中敷Ｂを、使用者の靴の靴底に既に入っているインソールの上に装着して使用する場合は、既に入っているインソールに中敷Ｂを上述の要領で踵部分を基準として位置合わせをして装着する。このほか、既に入っているインソールを取り外し、そのインソールに中敷Ｂを上述の要領で踵部分を基準として位置合わせをして装着した上で、インソールを靴底のもとの位置に戻すようにしてもよい。
【００３３】
このようにして中敷Ｂを使用者の靴の靴底又は既に靴底に入っているインソールに踵部分を基準として位置合わせして装着すると、中敷Ｂ（第２パーツ２）の基端部分は靴底又は既に靴底に入っているインソールの踵部分に対応する形状を有することから、ぴったりとフィットして、その後の位置ずれは起きにくい。ただし、一旦位置合わせした中敷Ｂの位置ずれを確実に防止するには、中敷Ｂを使用者の靴の靴底又は既に靴底に入っているインソールに装着する際に、中敷Ｂと靴底又はインソールとを貼着又は固定するようにしてもよい。この貼着又は固定の手段としては、面ファスナー機構や両面テープ、粘着テープ、凹凸嵌合手段（洋服のボタンなどの原理を用いたもの）、磁石、接着剤などを使用することができる
【００３４】
また、中敷Ｂは、その第１パーツ１に、足底アーチの横アーチの頂点に対応する凸部１ａ、外側の縦アーチに対応する凸部１ｂ、及び内側の縦アーチに対応する凸部１ｃを有するから、これを装着する使用者の靴の靴底又は既に靴底に入っているインソールの表面は平面であることが好ましい。したがって、既に靴底に入っているインソールに凸部が設けられている場合は、このインソールを取り外して中敷Ｂを装着することが好ましい。一方、靴底に凸部が設けられている場合は、その凸部を除去することは困難なので、靴底の凸部の位置と対応する中敷Ｂの裏面に靴底の凸部と嵌り合う凹部を設け、靴底の凸部の影響が中敷Ｂの表面に出ないようにすることが好ましい。
【００３５】
次に本発明の他の実施形態を説明する。この実施形態は、パンプスなど靴内の容積が小さく中敷を装着しにくい場合に好適である。
【００３６】
この実施形態では、第２パーツとして、図２に示した第２パーツ２に替えて、図９に示すように先端部分を切除した第２パーツ２’を使用する。この第２パーツ２’の基端部分２ａ’は第２パーツ２の基端部分２ａと同様に、靴底又は既に靴底に入っているインソールの踵部分に対応する形状を有する。
【００３７】
第１パーツとしては先の実施形態と同様のもの（図１参照）を使用でき、その第１パーツ１を先の実施形態と同様にして使用者の足底に貼着又は固定する。その後、図５に示した第２パーツ２と同様の要領で、第２パーツ２’の基端部分２ａ’と使用者の足底の踵部分とが一致するように、第２パーツ２’を使用者の足底に位置合わせする。そして、第２パーツ２’を使用者の足底の踵部分から、使用者の足底に合わせて行き、第１パーツ１と第２パーツ２’とを貼着又は固定して一体化する。これによって、図１０に示すような中敷Ｂ’が完成する。
【００３８】
この中敷Ｂ’を先の実施形態と同様にして、使用者の靴の靴底又は既に靴底に入っているインソールに踵部分を基準として位置合わせする。その後、本実施形態では、中敷Ｂ’を構成している第１パーツ１を靴底又は既に靴底に入っているインソールに貼着又は固定した上で、第２パーツ２’を取り外す。これによって、第１パーツ１のみが靴底又は既に靴底に入っているインソールに装着された状態となることから、パンプスなど容積が小さい場合にも問題なく装着できる。
【００３９】
本実施形態において、第１パーツ１を靴底又は既に靴底に入っているインソールに貼着又は固定する手段としては、面ファスナー機構や両面テープ、粘着テープ、凹凸嵌合手段（洋服のボタンなどの原理を用いたもの）、磁石、接着剤などを使用することができる。
【００４０】
なお、本実施形態では、中敷Ｂ’を位置決め後、第２パーツ２’を取り外すようにしたが、第２パーツ２’を取り付けたままとしてもよい。この場合でも、第２パーツ２’はその先端部分が切除されたものであるから、図７に示した中敷Ｂに比べ、容積の小さい靴内に装着可能である。
【符号の説明】
【００４１】
１  第１パーツ
１ａ〜１ｃ  凸部
１ａ−１  凸部１ａの頂点
１ｄ  貼着手段
２，２’  第２パーツ
２ａ，２ａ’  第２パーツの基端部分
２ｂ  第２パーツの先端部分
Ａ  横アーチの頂点（湧泉部分）
３  踵骨
４  種子骨
Ｂ，Ｂ’  中敷
Ｂ１，Ｂ１’  中敷の基端位置
Ｃ１，Ｃ２  踵部分の基準位置
【図１】
0005464590.tif 000002
【図２】
0005464590.tif 000003
【図３】
0005464590.tif 000004
【図４】
0005464590.tif 000005
【図５】
0005464590.tif 000006
【図６】
0005464590.tif 000007
【図７】
0005464590.tif 000008
【図８】
0005464590.tif 000009
【図９】
0005464590.tif 000010
【図１０】
0005464590.tif 000011
【図１１】
0005464590.tif 000012
【図１２】
0005464590.tif 000013